(57)【要約】【課題】脚部材の横架材に対する位置決めの精度や結合強度の向上を図る。【解決手段】略筒形状をなし天板１の下面に接合する横架材２と、横架材２の終端部に挿入する挿入端部５２を有する脚部材３とを連結する構造において、横架材２の終端部の周壁を一部切り欠くことで終端縁と交差する第一の端縁２５１、及び第二の端縁２５２を形成する一方、脚部材３の挿入端部５２の外周より突出したブロック５６に前記第一の端縁２５１に当接する第一の当接面５６１、及び前記第二の端縁２５２に当接する第二の当接面５６２を形成し、各端縁２５１、２５２と各当接面５６１、５６２との係合を通じて、脚部材３の横架材２に対する挿入端部５２の挿入方向に沿った軸回りの相対変位を抑止するようにした。【選択図】図１０
2009118908.tif 000002
【特許請求の範囲】
【請求項１】
所定の機能を提供する家具要素と、少なくとも終端部が略筒形状をなし前記家具要素の下面に接合する横架材と、前記横架材の終端部に挿入する挿入端部を有し前記家具要素及び前記横架材を床面より浮いた位置に支持する脚部材とを具備してなる家具であって、
前記横架材の終端部の周壁を一部切り欠くことで終端縁と交差する第一の端縁、及び第二の端縁を形成する一方、
前記脚部材の挿入端部の外周より突出したブロックに前記第一の端縁に当接する第一の当接面、及び第一の当接面とは異なる方向を向き前記第二の端縁に当接する第二の当接面を形成し、
各端縁と各当接面との係合を通じて、前記脚部材の前記横架材に対する前記挿入端部の挿入方向に沿った軸回りの相対変位を抑止することを特徴とする家具。
【請求項２】
止着具を用いて前記脚部材の挿入端部を前記横架材の終端部の周壁に締結している請求項１記載の家具。
【請求項３】
前記横架材の終端部の周壁は断面が略方形状をなし、一対の対向壁にそれぞれ前記第一の端縁及び前記第二の端縁を形成しており、
前記脚部材の挿入端部における前記対向壁に摺接する各側面より前記ブロックが突出している請求項１または２記載の部材の連結構造。
【請求項４】
前記横架材の終端部の周壁は断面が略長方形状をなしており、その長辺側の対向壁にそれぞれ前記第一の端縁及び前記第二の端縁を形成している請求項３記載の部材の連結構造。
【請求項５】
前記横架材の終端部の周壁は断面が略方形状をなし、一対の対向壁にそれぞれ前記第一の端縁及び前記第二の端縁を形成しており、
前記脚部材の挿入端部における前記対向壁に摺接する各側面より前記ブロックが突出しており、
なおかつ、前記止着具が前記横架材の終端部における前記第一の端縁及び前記第二の端縁を形成していない側の壁に前記脚部材の挿入端部を緊締している請求項２記載の部材の連結構造。
【請求項６】
前記脚部材には、前記挿入端部と略平行に延出して前記ブロックを外方より遮蔽する遮蔽壁をさらに設けており、
前記脚部材の挿入端部を前記横架材の終端部に挿入した状態で、前記周壁が前記挿入端部と前記遮蔽壁との間隙に差し入る請求項１、２、３、４または５記載の家具。
【請求項７】
前記遮蔽壁は、先端に向かうにつれて前記挿入端部との間隙が徐々に拡がるようなテーパ状をなしている請求項６記載の家具。
【請求項８】
前記脚部材の挿入端部を前記横架材の終端部に挿入した状態で、前記ブロックが切り欠きを介して前記周壁の外方に突出する請求項１、２、３、４、５、６または７記載の家具。
【請求項９】
前記脚部材には、前記横架材の上面と略面一になる接合片をさらに設けており、
前記家具要素の下面を、前記横架材の上面と前記脚部材の接合片とに跨るように接合する請求項１、２、３、４、５、６、７または８記載の部材の連結構造。
【請求項１０】
少なくとも終端部が略筒形状をなす第一の部材と、前記第一の部材の終端部に挿入する挿入端部を有する第二の部材との連結の構造であって、
前記第一の部材の終端部の周壁を一部切り欠くことで形成した、終端縁と交差する第一の端縁、及び第二の端縁と、
前記第二の部材の挿入端部の外周より突出したブロックに形成した、前記第一の端縁に当接する第一の当接面、及び第一の当接面とは異なる方向を向き前記第二の端縁に当接する第二の当接面と、
前記第一の部材の終端部に挿入した前記第二の部材の挿入端部をその終端部の周壁に締結する止着具と
を備え、
各端縁と各当接面との係合を通じて、前記第二の部材の前記第一の部材に対する前記挿入端部の挿入方向に沿った軸回りの相対変位を抑止することを特徴とする部材の連結構造。
【請求項１１】
前記第二の部材は、前記挿入端部の挿入方向と略直交する方向に延伸する部材に連なるものである請求項１０記載の部材の連結構造。
【発明の詳細な説明】
【技術分野】
【０００１】
本発明は、所定の家具要素を脚部材で支持している家具、またそのような家具の部材の連結構造に関する。
【背景技術】
【０００２】
下記文献に、会議室等で使用するミーティングデーブルが開示されている。この種のテーブルは、天板の下面に横架材を接合して剛性を担保した上、これら天板及び横架材を脚部材によって支持する基本構造をとる。
【０００３】
テーブルの下肢空間を広くとるためには、脚部材をできるだけ天板の外縁近くに位置づけることが望ましい。そのために、下記文献に記載のミーティングテーブルでは、横架材の直下に脚部材を配置するのではなく、横架材の両端に脚部材を剛結するようにしている。
【非特許文献１】“カリブ”，コクヨ総合カタログ２００７年版ファニチャー編，コクヨ株式会社，平成１８年１２月，ｐ．２４８
【発明の開示】
【発明が解決しようとする課題】
【０００４】
部材の製造コストや組立工程の手間を削減したいという要求は常に存在している。この要求に応えるべく、例えば、天板の下面に接合する横架材をスチールパイプ材で構成するとともに、このパイプ材に挿入する挿入端部を脚部材の上部に成形して、パイプ材の周壁に挿通したボルトを脚部材の挿入端部に螺合緊締するようなことが考えられる。
【０００５】
しかしながら、上述の如き連結構造を採用すると、パイプ材の内周と挿入端部の外周との間にクリアランスを設けざるを得ず、横架材に連結した脚部材が挿入端部の挿入方向（横架材の延伸方向）に沿った軸回りにがたつき、または横架材及び天板に対して傾くおそれがある。
【０００６】
以上に鑑みてなされた本発明は、終端部が略筒形状をなす第一の部材とその終端部に挿入する挿入端部を有する第二の部材とを連結する構造において、第二の部材の第一の部材に対する位置決めの精度や結合強度の向上を図り、以て低コストで高品質な家具を提供しようとするものである。
【課題を解決するための手段】
【０００７】
本発明では、少なくとも終端部が略筒形状をなす第一の部材と、前記第一の部材の終端部に挿入する挿入端部を有する第二の部材との連結の構造において、前記第一の部材の終端部の周壁を一部切り欠くことで終端縁と交差する第一の端縁、及び第二の端縁を形成する一方、前記第二の部材の挿入端部の外周より突出したブロックに前記第一の端縁に当接する第一の当接面、及び第一の当接面とは異なる方向を向き前記第二の端縁に当接する第二の当接面を形成し、ボルト等の止着具を用いて前記第一の部材の終端部に挿入した前記第二の部材の挿入端部をその終端部の周壁に締結するものとし、各端縁と各当接面との係合を通じて、前記第二の部材の前記第一の部材に対する前記挿入端部の挿入方向に沿った軸回りの相対変位を抑止するようにした。
【０００８】
本発明によれば、各端縁と各当接面との係合を通じて第一の部材と第二の部材とを精度よく位置決めすることができる。緊締箇所とは別の箇所で位置決めを行うため、第一の部材の終端部の内周と第二の部材の挿入端部の外周との間にクリアランスが発生していても支障はない。また、第二の部材を第一の部材に対し軸回りに相対変位させようとする外力は、第一の部材の終端部の周壁に対する圧縮力として作用するので、周壁の圧縮強度を利用してこれに対抗することができる。
【０００９】
前記第二の部材が前記挿入端部の挿入方向と略直交する方向に延伸する部材に連なるものであると、第二の部材を軸回りに相対変位させようとする外力が加わりやすくなるが、本発明に係る連結構造の採用により、第二の部材の第一の部材に対するがたつきを有効に防止できる。
【００１０】
本発明に係る連結構造は、家具類への適用に好適である。例えば、所定の機能を提供する家具要素と、少なくとも終端部が略筒形状をなし前記家具要素の下面に接合する横架材と、前記横架材の終端部に挿入する挿入端部を有し前記家具要素及び前記横架材を床面より浮いた位置に支持する脚部材とを具備してなる家具において、前記横架材の終端部の周壁を一部切り欠くことで終端縁と交差する第一の端縁、及び第二の端縁を形成する一方、前記脚部材の挿入端部の外周より突出したブロックに前記第一の端縁に当接する第一の当接面、及び第一の当接面とは異なる方向を向き前記第二の端縁に当接する第二の当接面を形成し、各端縁と各当接面との係合を通じて、前記脚部材の前記横架材に対する前記挿入端部の挿入方向に沿った軸回りの相対変位を抑止することができる。ここで、家具要素とは、例えば物品を載置可能な天板や、物品の収納空間を包有する棚、収納庫等である。
【００１１】
ボルト等の止着具を用いて前記脚部材の挿入端部を前記横架材の終端部の周壁に締結できることは言うまでもない。
【００１２】
好ましくは、前記横架材の終端部の周壁が断面が略方形状をなし、一対の対向壁にそれぞれ前記第一の端縁及び前記第二の端縁を形成しており、前記脚部材の挿入端部における前記対向壁に摺接する各側面より前記ブロックが突出しているものとする。このとき、横架材の終端部における第一の端縁及び第二の端縁を形成していない対向壁の内法寸法と、脚部材の挿入端部における当該対向壁に面する方向の外法寸法とは厳密に合致する必要がない。
【００１３】
前記止着具を用いて、前記横架材の終端部における前記端縁を形成していない側の壁に前記脚部材の挿入端部を緊締すれば、脚部材を家具要素及び横架材に対し適切な位置に固定できる。
【００１４】
前記横架材の終端部の周壁が断面が略長方形状をなしており、その長辺側の対向壁にそれぞれ前記第一の端縁及び前記第二の端縁を形成しているならば、長辺側にブロックを形成することになり、ブロックの寸法を大きくとることができる。故に、脚部材のブロック部分の剛性を確保しやすい。
【００１５】
前記脚部材に、前記挿入端部と略平行に延出して前記ブロックを外方より遮蔽する遮蔽壁をさらに設け、前記脚部材の挿入端部を前記横架材の終端部に挿入した状態で、前記周壁が前記挿入端部と前記遮蔽壁との間隙に差し入る構造とすれば、横架材の周壁の切り欠き及び脚部材のブロックを隠蔽して家具としての格調、美観を高めることができる。また、遮蔽壁と挿入端部とで周壁を挟む状態となるので、横架材と脚部材との結合の補強にも寄与し得る。
【００１６】
前記遮蔽壁が、先端に向かうにつれて前記挿入端部との間隙が徐々に拡がるようなテーパ状をなしているならば、脚部材の挿入端部を横架材の終端部に挿入する作業、換言すれば横架材の周壁を脚部材の挿入端部と遮蔽壁との間隙に差し入れる作業を行いやすい。
【００１７】
前記脚部材の挿入端部を前記横架材の終端部に挿入した状態で、前記ブロックが切り欠きを介して前記周壁の外方に突出しているならば、各端縁と各当接面とが当接する領域が大きくなる、ちょうど周壁がブロックをくわえ込むような状態となって、位置決めの精度や結合強度がより向上する。
【００１８】
前記脚部材に、前記横架材の上面と略面一になる接合片をさらに設け、前記家具要素の下面を、前記横架材の上面と前記脚部材の接合片とに跨るように接合するならば、脚部材が横架材を介して家具要素に固着するとともに直接にも接合することから、家具要素に対する脚部材の取り付けが強固になる。しかも、その脚部材がブロックの当接面を介して横架材を家具要素に押し付けることになるので、家具要素と横架材との接合も強固になる。従って、家具要素、横架材及び脚部材の三者が強力に結合し、がたつき、ぐらつきが抑えられる。
【発明の効果】
【００１９】
本発明によれば、終端部が略筒形状をなす第一の部材とその終端部に挿入する挿入端部を有する第二の部材とを連結する構造において、第二の部材の第一の部材に対する位置決めの精度や結合強度を向上できる。ひいては、低コストで高品質な家具を提供することが可能となる。
【発明を実施するための最良の形態】
【００２０】
以下、本発明の一実施形態を、図面を参照して説明する。図１に示すものは、本発明を適用した天板付家具、特に会議室等で使用するミーティングテーブルである。この天板付家具は、物品を載置可能な天板１と、天板１を受ける横架材２と、横架材２に連結してこれら天板１及び横架材２を床面より浮いた位置に支持する脚部材３とを主要な構成部材とする。
【００２１】
横架材２は、例えば断面が上下方向に長い略長方形状のスチールパイプ材を主体とする。横架材２全体は、天板１の下面に沿って略水平に伸長している。図２に示すように、中間部のパイプ材は天板１の長手縁と略平行、両側部のパイプ材は天板１の隅角に向かって斜行する。中間部のパイプ材と両側部のパイプ材とは、溶接してある。本実施形態では、二本の横架材２を対称に配置して天板１の四隅を担わせている。
【００２２】
横架材２は、その上面を天板１の下面に接合する。図３及び図４に示すように、横架材２の各所には、上壁及び下壁を貫通する孔２１、２２を穿設しており、これらの孔２１、２２に長軸のねじ６１を下方より挿通して天板１に螺合緊締する。また、終端付近の上壁にも貫通孔２３を穿設し、この孔２３にも短軸のねじ６２を挿通して天板１に螺合緊締する。加えて、終端付近の下壁には、後述するジョイント５を締結するための複数のボルト挿通孔２４を穿設してある。
【００２３】
横架材２の終端部の周壁は一部を切り欠いてある。図示例では、対向して上壁と下壁とを連接する両側壁の終端縁を切り欠いて、上下方向に拡張した凹欠２５を形成している。この凹欠２５には、後述するジョイント５のブロック５６が嵌合する。凹欠２５の上下縁はそれぞれ、横架材２の終端縁と交差する第一の端縁２５１、第二の端縁２５２となる。因みに、両端縁２５１、２５２を、終端縁に向かって凹欠２５の幅が徐々に拡がるように若干傾斜させてもよい。
【００２４】
脚部材３は、略鉛直に伸長する支柱４と、支柱４の上端部にあって横架材２の終端部に当該支柱４を連結するジョイント５とを要素とする。
【００２５】
支柱４は、例えば断面が略円形状のスチールパイプ材を主体とする。支柱４の下端には、周知の天板付家具と同様にアジャスタまたはキャスタを取り付けることができる。図３、図９及び図１０に示すように、支柱４の上端付近には、内空を略閉塞する蓋状体４１を溶接等により固定し、その中心部位にナット孔４１１を形成している。また、支柱４の上端縁の一部を小さく切り欠いて凹欠４２を形成してある。
【００２６】
ジョイント５は、例えばアルミダイキャスト成形品であり、図３、図５及び図６に示すように、支柱４を取り付ける取付端部５１と、横架材２の終端部に挿入する挿入端部５２とを両備している。
【００２７】
取付端部５１は、略鉛直下方に突出する軸体５１１を中心として放射状に複数の補強片５１２を延出させてなる。軸体５１１の中心部位は、上下に貫通している。補強片５１２の外縁は、支柱４の内周に当接ないし極近接する。また、取付端部５１の上縁近傍において、挿入端部５２の向きと同方向に突起５１３を突出させている。取付端部５１の直上には、軸体５１１の内空に連通するとともに上方に開放した座ぐり５３を設けてある。座ぐり５３の外形は概ね円筒状をなし、その外周は支柱４の外周と略一致する。座ぐり５３の上端は、斜めに切り落としてある。
【００２８】
ジョイント５に支柱４を取り付けるにあたっては、ジョイント５の取付端部５１を支柱４の上端部に挿入し、取付端部５１の上縁近傍の突起５１３を、支柱４の上端縁の凹欠４２に差し入れる。その上で、軸体５１１にボルト６３を上方より挿通して支柱４内のナット孔４１１に螺合緊締する。ボルト６３の頭部は、座ぐり５３内に収容される。しかる後、座ぐり５３の開口に例えば樹脂成形品のキャップ５３１を装着してこれを閉塞する。
【００２９】
挿入端部５２は、幅寸法が横架材２の両側壁の内法に略対応した上下方向に長い扁平な箱体状をなし、取付端部５１及び支柱４と直交する方向に延伸している。挿入端部５２の上下寸法は、横架材２の上下壁間の内法よりもやや小さい。挿入端部５２は上方に開放し、先端側は丸みを帯びている。挿入端部５２の底壁には、複数のナット孔５２１を形成してある。これらのナット孔５２１は、挿入端部５２を横架材２の終端部に挿入した際に、横架材２の下壁に穿っている各ボルト挿通孔２４と平面視重なり合う。
【００３０】
さらに、ジョイント５には、挿入端部５２と略平行に延出した遮蔽壁５４を設けている。遮蔽壁５４は一対存在し、各遮蔽壁５４が間隙を隔てて挿入端部５２の各側面に隣接している。遮蔽壁５４は、先端に向かって挿入端部５２の側面との間隙が徐々に拡がるようなテーパ状をなす。遮蔽壁５４の外側面は、座ぐり５３の外周面になだらかに連続している。遮蔽壁５４の上下寸法は、横架材２の上下寸法に略等しい。
【００３１】
遮蔽壁５４の上端は外側方に屈曲し、略水平な接合片５５となっている。接合片５５は、天板１の下面に直接接合するための部位で、各接合片５５にはそれぞれボルト挿通孔５５１を穿設してある。挿入端部５２を横架材２の終端部に挿入した状態で、接合片５５の上面は横架材２の上面と略面一になる。
【００３２】
しかして、挿入端部５２と遮蔽壁５４との間隙に、横架材２の終端部に形成した凹欠２５に嵌合するブロック５６を設けている。ブロック５６は、挿入端部５２の外側面より突出し、遮蔽壁５４の内側面に連接している。ブロック５６の上端面は前記第一の端縁２５１と当接する第一の当接面５６１、下端面は前記第二の端縁２５２と当接する第二の当接面５６２となる。第一の当接面５６１は挿入端部５２の上縁に近い高さにあるが、第二の当接面５６２は挿入端部５２の下縁よりも高位置にあり、ブロック５６の上下寸法は挿入端部５２の上下寸法よりも小さい。
【００３３】
本実施形態の天板付家具の組立施工手順を概説する。まず、図９に示すように、ねじ６１、６２を用いて天板１の下面に横架材２を固定するとともに、ボルト６３を用いて支柱４にジョイント５を固定する。そして、図１０に示すように、ジョイント５の挿入端部５２を横架材２の終端部に挿入し、ブロック５６を凹欠２５に嵌合せしめる。図７及び図８に示すように、ジョイント５の挿入端部５２を横架材２の終端部に挿入すると、横架材２の側壁が挿入端部５２と遮蔽壁５４との間隙に差し入る。また、ジョイント５のブロック５６が凹欠２５を介して横架材２の側壁の外方に若干ではあるが突出する。続いて、横架材２の下壁のボルト挿通孔２４にボルト６４を挿通して挿入端部５２の底壁のナット孔５２１に螺合緊締する。この時点で、横架材２の上面は天板１の下面に密接し、ジョイント５も横架材２の下壁に固着するが、ジョイント５の上面と天板１の下面とは必ずしも密接しておらず、ともすればジョイント５の上面が天板１の下面から浮いている。ここでさらに、ジョイント５の接合片５５のボルト挿通孔５５１にボルト６５を挿通して天板１に螺合緊締することにより、ジョイント５の上面が天板１の下面に密接するのみならず、凹欠２５とブロック５６との嵌合を通じて横架材２が天板１に押し付けられ、天板１と横架材２との接合も強固になる。
【００３４】
本実施形態によれば、少なくとも終端部が略筒形状をなす第一の部材たる横架材２と、前記横架材２の終端部に挿入する挿入端部５２を有する第二の部材たるジョイント５（または、脚部材３）との連結の構造において、前記横架材２の終端部の周壁を一部切り欠くことで終端縁と交差する第一の端縁２５１、及び第二の端縁２５２を形成する一方、前記ジョイント５の挿入端部５２の外周より突出したブロック５６に前記第一の端縁２５１に当接する第一の当接面５６１、及び第一の当接面５６１とは異なる方向を向き前記第二の端縁２５２に当接する第二の当接面５６２を形成し、ボルト６４等の止着具を使用して前記横架材２の終端部に挿入した前記ジョイント５の挿入端部５２をその終端部の周壁に締結するものとし、各端縁２５１、２５２と各当接面５６１、５６２との係合を通じて、前記ジョイント５の前記横架材２に対する前記挿入端部５２の挿入方向に沿った軸回りの相対変位を抑止するようにしたため、各端縁２５１、２５２と各当接面５６１、５６２との係合を通じて横架材２と脚部材３とを精度よく位置決めすることができる。緊締箇所とは別の箇所で位置決めを行うため、横架材２の終端部の内周とジョイント５の挿入端部５２の外周との間にクリアランスが発生していても支障はない。また、ジョイント５を横架材２に対し軸回りに相対変位させようとする外力は、横架材２の終端部の周壁に対する圧縮力として作用するので、周壁の圧縮強度を利用してこれに対抗することができる。
【００３５】
前記ジョイント５は、前記挿入端部５２の挿入方向と略直交する方向に延伸する部材たる支柱４に連なるものであるため、ジョイント５を軸回りに相対変位させようとする外力が加わりやすいが、本実施形態の連結構造の採用により、脚部材３の横架材２に対するがたつきを有効に防止できる。
【００３６】
前記横架材２の終端部の周壁が断面が略方形状をなし、一対の対向壁即ち側壁にそれぞれ前記第一の端縁２５１及び前記第二の端縁２５２を形成しており、前記ジョイント５の挿入端部５２における前記側壁に摺接する各側面より前記ブロック５６が突出しているため、横架材２の終端部における上下壁間の内法と、ジョイント５の挿入端部５２における上下寸法とを厳密に合致させる必要がない。
【００３７】
前記止着具６４を用いて、前記横架材２の終端部における前記端縁２５１、２５２を形成していない側の壁即ち下壁に前記ジョイント５の挿入端部５２を緊締していることにより、ジョイント５を家具要素たる天板１及び横架材２に対し適切な位置に固定できる。
【００３８】
前記横架材２の終端部の周壁が断面が略長方形状をなし、その長辺側の対向壁即ち側壁にそれぞれ前記第一の端縁２５１及び前記第二の端縁２５２を形成しているため、ブロック５６の上下寸法を大きくとることができ、ジョイント５のブロック５６部分の剛性を確保しやすい。
【００３９】
前記ジョイント５に、前記挿入端部５２と略平行に延出して前記ブロック５６を外方より遮蔽する遮蔽壁５４をさらに設け、前記ジョイント５の挿入端部５２を前記横架材２の終端部に挿入した状態で、前記周壁が前記挿入端部５２と前記遮蔽壁５４との間隙に差し入る構造としているため、横架材２の周壁の凹欠２５及びジョイント５のブロック５６を隠蔽して家具としての格調、美観を高めることができる。また、遮蔽壁５４と挿入端部５２とで周壁を挟む状態となるので、横架材２とジョイント５との結合の補強にも寄与し得る。
【００４０】
前記遮蔽壁５４が、先端に向かうにつれて前記挿入端部５２との間隙が徐々に拡がるようなテーパ状をなしているため、ジョイント５の挿入端部５２を横架材２の終端部に挿入する作業、換言すれば横架材２の周壁をジョイント５の挿入端部５２と遮蔽壁５４との間隙に差し入れる作業を行いやすい。
【００４１】
前記ジョイント５の挿入端部５２を前記横架材２の終端部に挿入した状態で、前記ブロック５６が凹欠２５を介して前記周壁の外方に突出するため、各端縁２５１、２５２と各当接面５６１、５６２とが当接する領域が大きくなる、ちょうど周壁がブロック５６をくわえ込むような状態となって、位置決めの精度や結合強度がより向上する。
【００４２】
前記ジョイント５に、前記横架材２の上面と略面一になる接合片５５をさらに設け、ねじ６１、６２やボルト６５等の止着具を用いて、前記天板１の下面を前記横架材２の上面と前記ジョイント５の接合片５５とに跨るように接合しているため、ジョイント５が横架材２を介して天板１に固着するとともに直接にも接合することから、天板１に対する脚部材３の取り付けが強固になる。しかも、そのジョイント５がブロック５６の当接面を介して横架材２を天板１に押し付けることになるので、天板１と横架材２との接合も強固になる。従って、天板１、横架材２及び脚部材３の三者が強力に結合し、がたつき、ぐらつきが抑えられる。
【００４３】
なお、本発明は以上に詳述した実施形態に限られるものではない。例えば、脚部材の要素であるジョイントは、支柱に一体成形していてもよい。
【００４４】
上記実施形態では、単一のブロックに第一の当接面及び第二の当接面の両方を形成していたが、図１１に示すように、第一の当接面５７１を形作るブロック５７と第二の当接面５８１を形作るブロック５８とを個別に設けてもよい。
【００４５】
上記実施形態では、横架材の終端部の縁辺が凹状になるように切り欠いて凹欠を形成し、その凹欠の端縁を利用するようにしていた。これとは逆に、図１２に示すように、横架材２の終端部の縁辺が凸状になるように切り欠いて舌片２６を形成し、その舌片２６に第一の端縁２６１、第二の端縁２６２を設定するとともに、これら端縁２６１、２６２に当接する当接面５９１、５０１を形成するブロック５９、５０をジョイント５に設ける態様もとり得る。
【００４６】
図１０ないし図１２に示している例では、ブロック５６、５７、５８、５９、５０が側断面視略方形状をなし、凹欠２５、舌片２６はこれを受け入れまたはブロック５９、５０間に嵌挿し得る形状をなしていた。このようなもの以外に、例えばブロックを側断面視略三角形状に成形し、かつ横架材の周壁を三角形状に切り欠いて前記ブロックに嵌合する凹欠または舌片を形成することも考えられる。つまりは、必ずしも第一の端縁と第二の端縁とが略平行であるとは限られず、第一の当接面と第二の当接面とが略平行であるとも限られない。
【００４７】
また、上記実施形態では、ジョイントの挿入端部に形成したナット孔にボルトを螺入して挿入端部と横架材の周壁とを締結していたが、挿入端部に雌ねじを切らず、ボルトとナットとを止着具として併用し両者を締結するようにしても構わない。
【００４８】
第一の端縁及び第二の端縁を、横架材の上壁及び／または下壁に形成することもできる。この場合、ジョイントの挿入端部の底壁及び／または頂壁よりブロックを突出させる。並びに、止着具を用いてジョイントの挿入端部を横架材の側壁に締結することもできる。
【００４９】
横架材の断面形状は、方形状でなくともよい。
【００５０】
また、横架材及び脚部材と結合する家具要素は、天板には限定されない。家具要素は、物品の収納空間を包有する棚、収納庫等であってもよい。
【００５１】
その他各部の具体的構成は、本発明の趣旨を逸脱しない範囲で種々変形が可能である。
【図面の簡単な説明】
【００５２】
【図１】本発明の一実施形態の家具を示すの斜視図。
【図２】同実施形態の家具の下面図。
【図３】家具の部材の連結構造を示す要部分解斜視図。
【図４】横架材の側断面図。
【図５】ジョイントの正面図。
【図６】ジョイントの下面図。
【図７】家具の部材の連結構造を示す要部側面図。
【図８】家具の部材の連結構造を示すＡ−Ａ線要部平断面図。
【図９】家具の部材の連結構造を示すＢ−Ｂ線要部側断面図。
【図１０】家具の部材の連結構造を示すＣ−Ｃ線要部側断面図。
【図１１】本発明の変形例の一を示す要部側断面図。
【図１２】本発明の変形例の一を示す要部側断面図。
【符号の説明】
【００５３】
１…天板（家具要素）
２…横架材（第一の部材）
２５１、２６１…第一の端縁
２５２、２６２…第二の端縁
３…脚部材
５…ジョイント（第二の部材）
５２…挿入端部
５４…遮蔽壁
５６、５７、５８、５９、５０…ブロック
５６１、５７１、５９１…第一の当接面
５６２、５８１、５０１…第二の当接面
６４…ボルト（止着具）
【図１】
2009118908.tif 000003
【図２】
2009118908.tif 000004
【図３】
2009118908.tif 000005
【図４】
2009118908.tif 000006
【図５】
2009118908.tif 000007
【図６】
2009118908.tif 000008
【図７】
2009118908.tif 000009
【図８】
2009118908.tif 000010
【図９】
2009118908.tif 000011
【図１０】
2009118908.tif 000012
【図１１】
2009118908.tif 000013
【図１２】
2009118908.tif 000014